(57)【特許請求の範囲】
【請求項１】
サンバイザーに取付けられるミラーを嵌込み固定したミラー枠体とカバー部材とからなるカバー付バニティミラーの開閉構造であって、前記ミラー枠体の取付凹部には略半円状の溝枠が形成され、この溝枠の中央部の所定の範囲には溝枠縁部より同溝枠の中心と整合する支軸が突出形成されて受け軸部が設けられるとともに、この支軸と対応する縁部側の所定の位置には凸条部が形成されて同溝枠底部には溝部が貫設され、また、この受け軸部の左右には同支軸の縁部側に溝枠中心より所定の間隔で垂直受け面が形成され、この垂直受け面の上部側には開口側に略く字形状の係止受け面が形成されて両受け面間には係止凸条部が形成され、また、この取付凹部に取付けられるカバー部材の取付軸部には溝枠の受け軸部と対応して支軸の外周に倣う断面略円弧形状の受け面部が形成されてその先端側は支軸の基部括れ部に係合可能に設けられ、同受け面部の外周面には受け軸部の凸条部に乗上げ係止可能に凸部が形成され、また、この受け面部の左右には溝枠の保持面部と対応して、前記垂直受け面と当接する垂直当接面と同当接面に連続して前記保持凸条部に乗上げ係合可能に係合凸条部を有する保持軸部が形成されて同取付軸部には撓み能が付与されて前記取付凹部に回動軸を介して支承され、カバー部材によりミラーの開時には主に取付軸部が湾曲状に撓み変形し、また、閉時には取付凹部の溝枠の受け軸部の相当部分が撓み変形可能に設けられて、開時には軸受け部の括れ部に受け面部の先端側が掛合されるとともに、左右の保持軸部の係合凸条部は保持面部の保持凸条部に乗上げて垂直受け面に対し垂直当接面が当接されてカバー部材は所定の開放角度に保持され、また、閉時には受け面部の凸部が受け軸部の凸条部に乗上げてカバー部材は閉止保持可能に構成したカバー付バニティミラーの開閉構造。
【発明の詳細な説明】
【０００１】
【産業上の利用分野】
この発明は、車両等に附設されるサンバイザーに係り、詳しくはサンバイザー埋設状に取付けられるカバー付バニティミラーの開閉構造に関する。
【０００２】
【従来の技術】
従来、この種の車両用サンバイザーに附設されたバニティミラー１のカバー８の開閉構造としては例えば図９に示すものがある。このバニティミラー１はミラー２を嵌込み固定する合成樹脂製の裏面枠４と額縁状の表面枠５とからなるミラー枠体３とこのミラー枠体３の前面を開閉するカバー８と、同カバー８を開閉保持するための金属製の板ばね１４とより構成され、このミラー枠体３の上部側にはカバー８の作動基部９と板ばね１４を納める空間部６が形成され、この空間部６の左右にはカバー８の作動基部９を回動可能に支持する支持部７が設けられて、カバー８は同支持部７間に取付けられている。
【０００３】
このカバー８はミラー枠体３の前面側を遮蔽可能な平板状に形成され、その基部には作動基部９が形成されている。この作動基部９の左右には支持部７に回動可能に支承される軸部１０が形成され、同作動基部９の長手方向には所定の角度で一方に開保持面１２と他方に閉保持面１３を有する断面略山形状の凸部１１が形成されている。また、板ばね１４は略Ｖ字形状に形成されて空間部６に納められて、カバー８を図示上方へ回動すると凸部１１の開保持面１２が板ばね１４の片１４ａに当接されその弾性能により上動保持され、また、閉じ状態で閉保持面１３が片１４ａに当接されて閉じ方向へ回動保持するように設けられている。
【０００４】
【発明が解決しようとする課題】
しかしながら、この従来のバニティミラーの構成においてはカバー８を開状態と閉状態とに保持する板ばね１４の製造工程が必要であり、また、板ばね１４の組み付け工程を必要とするため、部品点数が増すとともに、製作工数が増すことから生産性が低下する問題点があった。
本発明は、上記従来の問題点を解決するためになされたもので、ミラー枠体とカバーとの組み付け構造において、その構造形状によりカバーを開状態と閉状態とに位置保持できて、部品点数を減らし、製作工数を低減することのできるカバー付バニティミラー構造を提供することを目的とするものである。
【０００５】
【課題を解決するための手段】
本発明は、上記技術課題を解決するため、サンバイザーに取付けられるミラーを嵌込み固定したミラー枠体とカバー部材とからなるカバー付バニティミラーの開閉構造であって、前記ミラー枠体の取付凹部には略半円状の溝枠が形成され、この溝枠の中央部の所定の範囲には溝枠縁部より同溝枠の中心と整合する支軸が突出形成されて受け軸部が設けられるとともに、この支軸と対応する縁部側の所定の位置には凸条部が形成されて同溝枠底部には溝部が貫設され、また、この受け軸部の左右には同支軸の縁部側に溝枠中心より所定の間隔で垂直受け面が形成され、この垂直受け面の上部側には開口側に略く字形状の係止受け面が形成されて両受け面間には係止凸条部が形成され、また、この取付凹部に取付けられるカバー部材の取付軸部には溝枠の受け軸部と対応して支軸の外周に倣う断面略円弧形状の受け面部が形成されてその先端側は支軸の基部括れ部に係合可能に設けられ、同受け面部の外周面には受け軸部の凸条部に乗上げ係止可能に凸部が形成され、また、この受け面部の左右には溝枠の保持面部と対応して、前記垂直受け面と当接する垂直当接面と同当接面に連続して前記保持凸条部に乗上げ係合可能に係合凸条部を有する保持軸部が形成されて同取付軸部には撓み能が付与されて前記取付凹部に回動軸を介して支承され、カバー部材によりミラーの開時には主に取付軸部が湾曲状に撓み変形し、また、閉時には取付凹部の溝枠の受け軸部の相当部分が撓み変形可能に設けられて、開時には軸受け部の括れ部に受け面部の先端側が掛合されるとともに、左右の保持軸部の係合凸条部は保持面部の保持凸条部に乗上げて垂直受け面に対し垂直当接面が当接されてカバー部材は所定の開放角度に保持され、また、閉時には受け面部の凸部が受け軸部の凸条部に乗上げてカバー部材は閉止保持可能に構成したカバー付バニティミラーの開閉構造である。
【０００６】
【作用】
カバー部材によりミラーの開時には主に取付軸部が湾曲状に撓み変形し、また、閉時には取付凹部の溝枠の受け軸部の相当部分が撓み変形されて、開放された場合には軸受け部の括れ部に受け面部の先端側が掛合されるとともに、左右の保持軸部の係合凸条部は保持面部の保持凸条部に乗上げて垂直受け面に対し垂直当接面が当接されてカバー部材は所定の開放角度に保持され、また、閉じられた場合にはその凸部が凸条部に乗上げてカバー部材は閉止保持される。
【０００７】
【実施例】
次に、本発明の一実施例を図面にしたがって説明すると、図１はバニティミラー２１でカバー部材４１を開状態にした斜視図、図２はカバー部材４１を取外した状態の斜視図、図３は図１のＡ−Ａ線断面図、図４は図１のＢ−Ｂ線断面図、図５はカバー部材４１を取付ける取付け凹部２５を示すもので、このバニティミラー２１は従来と同様に合成樹脂材からなるもので、ミラー枠体２２とカバー部材４１とより構成されている。
【０００８】
このミラー枠体２２は略方形状に形成されるとともに、同ミラー枠体２２にはミラー２を嵌込み可能とする略額縁形状の嵌込み枠２３が一体に形成されて、ミラー２は嵌込み固定するように設けられている。この嵌込み枠２３の図示左右縁と下縁側にはカバー部材４１の縁部４３を嵌込む溝部２４が凹設されるとともに、上縁２３ａ長手方向にはカバー部材４１の取付凹部２５が形成されている。
【０００９】
この取付凹部２５は嵌込み枠２３に連続状に半円状の溝枠２６が形成され、この溝枠２６の左右の端部には図５に示すように壁部２７が形成されるとともに、同壁部２７には対応してカバー部材４１の回動軸４７を回動可能に支承する逆Ｕ字形状の軸受溝２８が形成されている。また、この軸受溝２８の円弧面２８ａの中心Ｃは溝枠２６の半円の中心と整合され、カバー部材４１は中心Ｃを回動中心として回動される。また、この取付凹部２５の中央部の所定の範囲ｈ１  には受け軸部３０が、また、この受け軸部２８の左右の所定の範囲ｈ２  には保持面部３６が形成されている。
【００１０】
この受け軸部３０においては、図３に示すように上縁２３ａ側より支持部３１を介して所定の径を有する支軸３２が形成され、この支軸３２の中心Ｃは溝枠２６の中心Ｃと同心に形成されて、同支持部３１の下面側には括れ部３１ａが形成されている。また、この支軸３２と対応する溝枠２６の内側面の中心Ｃを通る水平線ａより所定の角度位置ｂには傾斜面３４を有する凸条部３３が形成されている。また、この受け軸部２８の範囲ｈ１  の溝枠２８の底部には所定の幅ｗの溝部３５が貫設され、この溝部３５の上縁２３ａ側の縁３５ａは括れ部３１ａに連続する垂直状の当り面を形成している。
【００１１】
また、この受け軸部３０の左右に形成される保持面部３６は同様に形成されるもので、図４に示すように中心Ｃより上縁２３ａ側の所定の寸法ｗ１  位置の溝枠２８内には垂直受け面３７が形成され、この垂直受け面３７の上端側には水平線ａへ向けて傾斜し、さらに上方へ立上がる略く字形状の係止受け面３８が形成され、この両受け面３７，３８間には保持凸条部３９が形成されている。このように形成された取付凹部２５にはカバー部材４１が取付けられている。
【００１２】
このカバー部材４１はミラー２を嵌込んだ嵌込み枠２３の前面を遮蔽可能で同嵌込み枠２３の三方の溝部２４に嵌込まれる縁部４３を有する蓋体４２と、同蓋体４２の縁部にはミラー枠体２２の取付凹部２５に回動可能に取付けられる取付軸部４５とより構成されている。
【００１３】
この取付軸部４５はその左右端に鍔部４６が形成され、同左右の鍔部４６には取付凹部２５の左右の軸受溝２３の中心Ｃと同心に回動軸４７が形成され、この取付軸部４５は取付凹部２５の受け軸部３０と対応して受け面部４８が形成され、また、取付凹部２５の左右の保持面部３６と対応して保持軸部５５がそれぞれ形成されている。
【００１４】
この取付軸部４５の受け面部４８は、図３に示すように蓋体４２の肉厚を有して受け軸部３０の支軸３２の外周面に倣う円弧状の内周面４８ａと回動軸４７の中心Ｃより所定の半径の外周面４８ｂに形成されるとともに、その先端側は受け軸部３０の括れ部３１ａに倣う円弧面４９と当り面３５ａに当接する当接面５０とが形成され、この当接面５０と外周面４８ｂとの間には凸部５１が長手方向に形成されている。
【００１５】
また、保持軸部５５は図４に示すように、その断面において、受け面部４８の外周面４８ｂと同様に回動軸４７の中心Ｃより半径ｒで所定の角度範囲に外周面５６が形成され、また、中心Ｃを通る垂直線ｄより所定の寸法ｗ１  の位置には同垂直線ｄに平行して保持面部３６の垂直受け面３７と当接する垂直当接面５７が形成され、この垂直当接面５７の上端には保持面部３６の保持凸条部３９に係合する係合凸条部５８が形成され、同係合凸条部５８に連続して平面部５９が形成されている。このように受け面部４８の左右に保持軸部５５を設けた取付軸部４５を有するカバー部材４１は回動軸４７を介してミラー枠体２２の取付凹部２５に回動可能に嵌込まれている。
【００１６】
このミラー枠体２２の取付凹部２５にカバー部材４１の取付軸部４５を回動軸４７を介して取付けてミラー２の前面を閉止した状態で図７および図８に示す対応状態にある。この閉止した状態で図８に示すように受け面部４８の凸部５１は受け軸部３０の凸条部３３に当接係合され、左右の保持軸部５５は図７に示すように保持面部３６に対しフリーな状態にある。
【００１７】
このミラー２の前面を閉止した状態より、カバー部材４１を開方向へ回動軸４７を介して回動していくと、図６に示すように左右の保持軸部５５の係合凸条部５８が保持面部３６の垂直受け面３７に当接され、さらに、回動していくと図示のように取付軸部４５はこの係合凸条部５８の摺接により取付軸部４５は湾曲状に撓み変形されて図示のように中心Ｃは位置Ｃ´に弾性変位ｔされる。そして、係合凸条部５８が保持凸条部３９を通過すると、同取付軸部４５は弾性復元されて、係合凸条部５８は保持凸条部３９と係合され、垂直受け面３７と垂直当接面５７とが当接され、また、この状態で受け軸部３０の括れ部３１ａには受け面部４８の先端側が挿入されて同当接面５０は垂直受け面３７に当接されて、カバー部材４１は所定の開放角度に保持されている。
【００１８】
また、この開放状態より閉じ方向へカバー部材４１を回動すると上記と同様に係合凸条部５８が保持凸条部３９を摺接して取付軸部４５は湾曲状に変位ｔされ、かつ復元されるとともに、受け軸部３０側においては受け面部４８の凸部５１が傾斜面３４に摺接され、これにより溝枠２６の縁部は図８に示すように溝部３５を介して図示矢印方向へ弾性変位され、同凸部５１が凸条部３３に乗上げると弾性復元されて、受け面部４８は受け軸部３０に対し角度ほぼ１３５度以上掛合され、掛外れが防止されて図７および図８の状態でミラー２の前面は閉止されている。
【００１９】
このようにミラー枠体２２の取付凹部２５の溝枠２６に回動軸４７を介してカバー部材４１の取付軸部４５が回動可能に嵌込み支持され、取付凹部２５の中央においては受け軸部３０と受け面部４８が、また、その左右においては保持面部３６と保持軸部５５とがそれぞれ対応して嵌込み係合され、カバー部材４１によりミラー２の開時には主に取付軸部４５が湾曲状に撓み変形し、また、閉時には取付凹部２５の溝枠２６の受け軸部３０の相当部分が撓み変形されて、開放された場合には軸受け部３０の括れ部３１ａに受け面部４８の先端側が掛合されるとともに、左右の保持軸部５５の係合凸条部５８は保持面部３６の保持凸条部３９に乗上げて垂直受け面３７に対し垂直当接面５７が当接されてカバー部材４１は所定の開放角度に保持され、また、閉じられた場合にはその凸部５１が凸条部３３に乗上げてカバー部材４１は閉止保持される。したがって、従来の板ばね１４を省略することができて部品点数を削減することができるとともに、部品管理工数および製作工数を低減することができて生産能率を向上することができる。
【００２０】
【発明の効果】
本発明は、上記したようにミラー枠体の取付凹部の溝枠に回動軸を介してカバー部材の取付軸部が回動可能に嵌込み支持され、取付凹部の中央においては受け軸部と受け面部が、また、その左右においては保持面部と保持軸部とがそれぞれ対応して嵌込み係合され、カバー部材によりミラーの開時には主に取付軸部が湾曲状に撓み変形し、また、閉時には取付凹部の溝枠の受け軸部の相当部分が撓み変形されて、開放された場合には軸受け部の括れ部に受け面部の先端側が掛合されるとともに、左右の保持軸部の係合凸条部は保持面部の保持凸条部に乗上げて垂直受け面に対し垂直当接面が当接されてカバー部材は所定の開放角度に保持され、また、閉じられた場合にはその凸部が凸条部に乗上げてカバー部材は閉止保持される。したがって、従来の板ばねを省略することができて部品点数を削減することができるとともに、部品管理工数および製作工数を低減することができて生産能率を向上することができる。
【図面の簡単な説明】
【図１】バニティミラーのカバー部材を開状態にした斜視図である。
【図２】バニティミラーのカバー部材を分解した状態の斜視図である。
【図３】図１のＡ−Ａ線断面図である。
【図４】図１のＢ−Ｂ線断面図である。
【図５】取付凹部の側面図である。
【図６】保持面部と保持軸部との作用説明図である。
【図７】カバー部材を閉止した状態での保持面部と保持軸部との断面図である。
【図８】カバー部材を閉止した状態での受け軸部と受け面部との断面図である。
【図９】従来のバニティミラーの断面図である。
【符号の説明】
２１  バニティミラー
２２  ミラー枠体
２５  取付凹部
２６  溝枠
３０  受け軸部
３１  支持部
３１ａ  括れ部
３２  支軸
３３  凸条部
３５  溝部
３６  保持面部
３７  垂直受け面
３８  係止受け面
３９  保持凸条部
４１  カバー部材
４５  取付軸部
４８  受け面部
５１  凸部
５５  保持軸部
５７  垂直当接面
５８  係合凸条部
【図１】
0003553152.tif 000002
【図２】
0003553152.tif 000003
【図３】
0003553152.tif 000004
【図４】
0003553152.tif 000005
【図５】
0003553152.tif 000006
【図６】
0003553152.tif 000007
【図７】
0003553152.tif 000008
【図８】
0003553152.tif 000009
【図９】
0003553152.tif 000010